(57)【特許請求の範囲】
【請求項１】
放電セルの二次元のマトリックスを備えたプラズマディスプレイパネル（１）の維持電極のアレイ（Ｙ）に供給するプラズマディスプレイパネル用電極駆動装置であって、前記プラズマディスプレイパネル用電極駆動装置が、
・維持ジェネレータ（２、２’）であって、基準端子と称する端子と前記電極に接続し得る供給端子と称する少なくとも１つの端子との間で正の維持パルス（Ｖs）を生成し、前記パルスの上昇部分または下降部分において共振インダクタ（２０、２０’）を用いて容量エネルギーを回収または再注入するモジュールを備えており、負電圧がこの供給端子と前記基準端子との間に印加されると、前記ジェネレータの前記基準端子（Ｖref）と供給端子（９２）との間に電流が流れることを可能にするように構成されている維持ジェネレータ（２、２’）と、
・前記電極に接続され得る供給端子と称する他の端子（９４、９７）と前記基準端子との間に負電圧（ＶAL、ＶE）を生成するように設計されている「負電圧」ジェネレータ（４、７）と称する少なくとも１つのジェネレータと、
・駆動装置（５、５’）であって、前記アレイ（Ｙ）の各電極（Ｙn）に対して、前記維持ジェネレータの前記供給端子及び／または少なくとも１つの前記負電圧ジェネレータ（４、７）の前記供給端子をコマンドにより前記電極（Ｙn）へ接続するように設計されており、駆動装置（５、５’）自体が、
・直列の２つの駆動装置ダイオード（５３、５４）であって、「下位電力」端子と呼ばれて全ての前記駆動装置に共通で直列の１つの端子から「上位電力」端子と呼ばれて全ての前記駆動装置にやはり共通で直列のもう１つの端子へ、同じ方向で導電するように方向付けられており、これらのダイオードの共有点が供給されるべき電極（Ｙn）へ接続されることを目的とする駆動装置ダイオード（５３、５４）と、
・２つの直列の駆動装置スイッチ（５１、５２）であって、これらのスイッチの共有点も供給されるべき電極（Ｙn）に接続されることを目的とし、この直列のスイッチ（５１、５２）の最も外側の端子が全ての前記駆動装置に共通であり、「下位切替」端子と称する１つが前記負電圧ジェネレータ（４、７）の前記供給端子（９４、９７）に直接接続され、前記直列のもう１つの共通の端子が「上位切替」端子と称する前記駆動装置スイッチ（５１、５２）と、
を有する駆動装置（５、５’）と、
を含み、
・前記プラズマディスプレイパネル用電極駆動装置が、前記駆動装置（５、５’）の前記共通の上位電力端子（５５、５５１）と前記駆動装置（５、５’）の共通の下位電力端子（５６、５６１）との間の電力スイッチ（６）を含み、
・前記維持ジェネレータ（２、２’）の前記供給端子（９２）が直接にかつ中間スイッチを用いることなく前記駆動装置（５、５’）の前記共通の上位電力端子（５５、５５１）へ接続されることを特徴とするプラズマディスプレイパネル用電極駆動装置。
【請求項２】
前記維持ジェネレータ（２、２’）がダイオード（２５、２７’）を含み、前記ダイオード（２５、２７’）は前記基準端子（Ｖref）とこの供給端子（９２）との間の該ダイオードと直列のスイッチを用いることなく、前記基準端子（Ｖref）と前記維持ジェネレータ（２、２’）の前記供給端子（９２）との間で導電するように接続されていることを特徴とする請求項１記載のプラズマディスプレイパネル用電極駆動装置。
【請求項３】
前記プラズマディスプレイパネル用電極駆動装置が、前記駆動装置（５、５’）の前記直列のスイッチの前記共通の上位切替端子に接続される前記供給端子（９３、９８）と称する端子と前記基準端子との間に正電圧（ＶAH、ＶP）を生成するよう設計されている「正電圧」パルスジェネレータ（３、８）と称する少なくとも１つのパルスジェネレータをさらに含むことを特徴とする請求項１または２記載のプラズマディスプレイパネル用電極駆動装置。
【請求項４】
前記アレイ（Ｙ）の前記電極が前記パネルの前記セルをアドレス指定するためにも用いられることを特徴とする請求項１乃至３のいずれか１に記載のプラズマディスプレイパネル用電極駆動装置。
【請求項５】
・前記共通の上位電力端子が前記共通の上位切替端子に接続されかつ一致し、
・前記共通の下位電力端子が前記共通の下位切替端子に接続されかつ一致する、ことを特徴とする請求項１乃至４のいずれか１に記載のプラズマディスプレイパネル用電極駆動装置。
【請求項６】
プラズマパネルを含む画像ディスプレイ装置であって、間に空間を残した２つのプレートを含み、前記空間は放電ガスを含み、二次元アレイを形成するセルへ仕切られ、前記二次元アレイは少なくとも電極の第１及び第２アレイを含み、前記第１アレイの各電極は前記パネルの異なるセルで前記第２アレイの各電極と交差しており、前記画像ディスプレイ装置は請求項１乃至５のいずれか１によるプラズマディスプレイパネル用電極駆動装置を含み、このプラズマディスプレイパネル用電極駆動装置の前記様々な駆動装置（５、５’）の前記直列のダイオード（５３、５４）及び前記直列のスイッチ（５１、５２）の共有点が前記電極のアレイのうちの１つの異なる電極に各々接続されていることを特徴とする画像ディスプレイ装置。
【請求項７】
前記パネルが、前記プラズマディスプレイパネル用電極駆動装置によって供給される前記電極の各々を用いて、前記セルにおけるプラズマ放電を維持する平行な電極対を形成するように設計された電極の第３のアレイを含むことを特徴とする請求項６記載のディスプレイ装置。
【請求項８】
前記パネルの前記セルにおいて前記プラズマ放電を制御する手段も含み、前記手段は、前記プラズマディスプレイパネル用電極駆動装置を用いて、予め選択されたセルにおいて電荷を蓄積することによる選択アドレス位相と前記予め選択されたセルにおいてだけ放電を生じさせるよう設計された非選択維持位相とを生成するように設計されており、前記プラズマディスプレイパネル用電極駆動装置によって供給される前記電極がアドレス電極及び維持電極であることを特徴とする請求項７記載のディスプレイ装置。
【請求項９】
前記パネルの前記セルにおける前記プラズマ放電を制御する手段をさらに含み、前記制御手段は前記プラズマディスプレイパネル用電極駆動装置を用いて、予め選択されたセルに電荷を蓄積することによる選択アドレス位相と、前記予め選択されたセルにおいてだけ放電を生じさせるよう設計された非選択維持位相と、を生成するように設計されており、前記プラズマディスプレイパネル用電極駆動装置によって供給される前記電極は維持電極だけであることを特徴とする請求項７記載のディスプレイ装置。
【請求項１０】
前記駆動手段が、
・前記プラズマディスプレイパネル用電極駆動装置の少なくとも１つの負電圧ジェネレータ（４、７）を用いて、前記プラズマディスプレイパネル用電極駆動装置によって供給される電極に印加される前記電圧が前記基準端子の前記基準電圧未満の値に至る間の位相を生成し、
・前記位相の間、前記電力スイッチ（６）を開いている、
ように設計されていることを特徴とする請求項８または９記載のディスプレイ装置。
【請求項１１】
一連の画像走査及び副走査を用いて画像を表示するために、基準電位と正の維持電位Ｖsとの間に周期的に変化する電位を前記プラズマディスプレイパネル用電極駆動装置によって供給される前記電極の全てに印加する間、維持位相を含む各副走査に、前記基準電位未満の負の電位（ＶE、ＶAL）が前記電極（Ｙn）に印加される間の少なくとも１つの予備的な位相と維持位相とが含まれ、前記電力スイッチ（６）が該負の電位を印加する間開いていることを特徴とする請求項６乃至１０のいずれか１に記載の前記ディスプレイ装置駆動方法。
【請求項１２】
前記駆動装置の少なくとも１つの下位スイッチ（５２）が該負電位を印加する間閉じられていることを特徴とする請求項１１記載の駆動方法。
【発明の詳細な説明】
【技術分野】
【０００１】
本発明は、アドレス位相及び維持位相のいずれにも用いられるプラズマ・ディスプレイパネルの複数電極または群電極を駆動する周期電圧パルスジェネレータに関する。
【背景技術】
【０００２】
記憶効果を備えたＡＣ型プラズマディスプレイパネル（またはＰＤＰと称する）は通常、２つの平行なプレートから成り、プレートの間に放電ガスを含む空間を残す。これらのプレートは、内面上に誘電層で覆われた電極のアレイが設けられる。
・通常、交差電極の２つのアレイがアドレス位相のために用いられ、その交点において、プレートの間の空間内で、光放電領域が画定される。
・少なくとも２つの電極アレイが維持に用いられる。
【０００３】
共面パネルの場合には、２つの維持アレイが同一プレート上に配置された電極から形成され、通常それらの方向は平行である。一方の維持アレイの各々の電極はもう一方の維持アレイの電極とともに１対の電極を形成する。電極の間に一連の光放電領域が画定され、通常パネルの画素ラインに沿って分布する。
【０００４】
マトリックス・パネルの場合には、２つの維持アレイはもはや共面ではなく、異なるプレート上に配置される。
【０００５】
光放電領域は、パネル上に光を発射可能なポイントの二次元マトリックスを形成し、表示されるべき画像を表示する。
【０００６】
一般に、これらの電極アレイのうちの少なくとも1つが、アドレス指定及び維持のいずれにも用いられる。本発明は、この種の電極アレイ用ジェネレータに関する。
【０００７】
隣接する放電領域、少なくともそれら領域の異なる発射色は、通常、隔壁によって区切られる。これらの隔壁は、概してプレート同士の間のスペーサとして役立つ。
【０００８】
光放電領域の壁は、光放電の紫外線放射に敏感な蛍光体でたいてい部分的に覆われている。隣接する放電領域は異なる原色を発射する蛍光体を備え、３つの隣接する領域の組み合わせによって画素が形成される。
【０００９】
画像を表示するために、作動中のプラズマパネルによって、活性化されるべきか否かに関わらず、ドットマトリックスまたは放電領域に対して一連の走査または副走査が実施される。各々の走査または副走査は、通常以下のステップを含む。即ち、
・第１に、選択アドレスステップであって、その目的が、放電領域において交差しているアドレス電極の間に少なくとも１つの電圧パルスを印加することによって、活性化されるべきこれらの放電領域の誘電層の当該部分上に電荷を蓄積するステップと、
次に、
・非選択維持ステップであって、一連の電圧パルスが全く同一の維持対の電極の間に印加され、事前にアドレスされたこれらの電極の間に位置する放電領域においてだけ一連の光放電を生じる間のステップと、
を含む。
【００１０】
パネルに対する走査または副走査は、例えば消去位相またはプライミング位相などの他の位相をさらに含んでいてもよい。それら位相には特性電圧パルスを印加することが含まれる。概して、これらのパルスは、高保持電圧または低保持電圧の保持電圧に関してだけでなく、電圧上昇及び／または降下の傾斜に関しても特有の性質を有している。
【００１１】
例えばたった今説明したアレイなどの、パネルの様々なアレイの電極の間に電圧パルスを印加することによって、これらの電極が電極の間に形成する電気コンデンサを充電または放電する周期がもたらされる。維持ステップが充電または放電の最高周期数をはるかに上回って表すときに、電極の間の容量エネルギーを回収しかつ再注入することを可能にする共振回路に基づくジェネレータを用いて維持パルスを生成することは通常のことである。
【００１２】
図１は、プラズマパネル１のアレイＹの電極Ｙnに供給する維持ジェネレータ２’の第１の実施例を概略的に示す。該電極はこのパネルの別の維持アレイに属する隣接する電極Ｙ’nに面している。このジェネレータは、エネルギー回収ジェネレータであって、ヒギンズ氏による特許文献ＵＳ ４ ７０７ ６９２に開示されている。維持電圧パルスを得るために、この電極Ｙnは、正のＤＣ維持電圧ＶsとＤＣ基準電圧Ｖrefとに、それぞれ直列に接続された電圧スイッチ２２’及び２３’を介して交互に切り換えられる。ＤＣ維持電圧Ｖsは基準電圧Ｖrefより大きい。これらのスイッチは通常ＭＯＳＦＥＴタイプのトランジスタなので、それらのスイッチの各々は端子において並列に、これらのスイッチの共有点から維持電位Ｖsへ、かつ基準電位Ｖrefからこれらのスイッチの共有点へ導電するように方向付けられた固有のダイオード２４’及び２５’をそれぞれ有する。これらのスイッチの共有点と供給されるべき電極Ｙnとの間に接続された共振インダクタ２０’及びこれらのスイッチの共有点と基準電位Ｖref（または維持電位Ｖs）との間に接続された記憶コンデンサ２１’によって、各々の切換の間に容量エネルギーが回収され再注入されることが可能になる。最後に、供給されるべき電極Ｙnと一方の維持電圧Ｖsとの間、及び供給されるべき電極Ｙnともう一方の基準電圧Ｖrefとの間に、回路は直列に接続された電圧クランプ手段を有する。これらの手段は、電圧スイッチ２２’及び２３’の上記したダイオード２４’、２５’と同じ方向へ、即ち、それぞれこれらのクランプ手段の共有点から維持電位Ｖsへ、かつ基準電位Ｖrefからこれらのクランプ手段の共有点へ、導電されるよう方向付けられた単純なダイオード２６’、２７’であってもよい。図1の点線で示された変形部分によれば、これらのクランプ手段は、各クランプダイオード２６’、２７’と平行に電圧スイッチ２８’、２９’をさらに含む。これらのスイッチ２８’、２９’によって、エネルギー回収及び再注入の損失を補填することが特に可能になる。実際には、クランプ手段は通常ＭＯＳＦＥＴトランジスタであって、そのときクランプダイオード２６’、２７’が、これらのトランジスタの固有ダイオードに相当する。共振インダクタ２０’及び記憶コンデンサ２１’は、パネルの電極の間のコンデンサに関連して、特許文献ＵＳ４ ７０７ ６９２に開示されている共振モードを得るように設計されている。
【００１３】
図２は同一のプラズマパネル１の電極Ｙnに供給する維持ジェネレータ２の第２の実施例を概略的に示す。このジェネレータは、エネルギー回収ジェネレータであって、ウェーバ氏による特許文献ＵＳ４ ８６６ ３４９に開示されている。維持電圧パルスを得るために、この電極Ｙnは正のＤＣ維持電圧ＶsとＤＣ基準電圧Ｖrefとに、それぞれ直列に接続された電圧スイッチ２２及び２３を介して交互に切り換えられる。ＤＣ維持電圧Ｖsは前と同様に基準電圧Ｖrefより大きい。これらのスイッチは通常ＭＯＳＦＥＴトランジスタなので、それらのスイッチは各々端子において平行にそれぞれ固有のダイオード２４及び２５を表し、これらのスイッチの共有点から維持電位Ｖsへ、及び基準電位Ｖrefからこれらのスイッチの共有点へ導電するように方向付けられている。容量エネルギーを回収し再注入するために、ジェネレータ２は、共振インダクタ２０、転送エネルギー切替モジュール３０、及び記憶コンデンサ２１を含む。これらは、一方はスイッチ２２、２３の共有点と対応する供給されるべき電極Ｙnと、もう一方は基準電位Ｖref（または維持電位Ｖs）との間で直列に接続されている。転送エネルギー切替モジュール３０は、ここで平行な２つの転送素子を含み、各々の素子自体が直列のスイッチ及びダイオードを含む。第１の素子のダイオードは第２の素子のダイオードに対して、反対方向に導電するように方向付けられている。各々の素子のスイッチの固有ダイオードはこの素子と直列にダイオードに対して反対方向に方向付けられている。上述の特許文献ＵＳ４ ８６６ ３４９の図７にて図示されているように、維持ジェネレータ２も、インダクタ２０と転送エネルギー切り替えモジュール３０との共有点において、ダイオード２６、２７を用いて電圧をクリップする手段を含む。共振インダクタ２０及び記憶コンデンサ２１は、パネルの電極の間のコンデンサと関連して特許文献ＵＳ４ ８６６ ３４９に開示されている共振モードを得るように設計されている。
【００１４】
図３は３つの電圧パルスタイミング図を示す。即ち、維持及びアドレスアレイＹの電極Ｙnに印加された電圧パルスタイミング図、維持アレイＹ’の電極Ｙ’nに印加された電圧パルスタイミング図、及び維持及びアドレスアレイＹの電極Ｙnに交差する、アドレスアレイＸだけの電極Ｘｐに印加された電圧パルスタイミング図である。
【００１５】
これらのタイミングダイアグラムは、プラズマパネルの同一の走査周期または副走査周期に属する一連の連続した位相を表す。即ち、プライミング位相ＰP、消去位相ＰE、アドレス位相ＰA、及び維持位相ＰＳである。
【００１６】
維持位相Ｐｓの場合には、たった今説明したジェネレータ２及び２’は、パネルの維持位相及び他の駆動位相のいずれにも役立つ複数電極または電極群Ｙnに電圧パルスＶsを印加するために用いられる。
【００１７】
維持の用途にだけ用いられるアレイＹ’の電極Ｙ’nは、通常一緒に接続されて、次にいわゆる「共通の」アレイを形成する。それらは、例えば図１または２で説明した、アレイＹの電極Ｙnに供給するのと同じタイプのエネルギー回収ジェネレータによって、通常供給される。維持位相の間の電極に対する全体の供給は、図７または図８を参照して後に説明される。図３に示したタイミングダイアグラムによれば、このジェネレータによって、維持位相及びアドレス位相のいずれにも用いられる電極Ｙnに供給する維持電圧パルスＶsに反対の位相において電圧パルスＶ’sが供給される。
【００１８】
維持及びアドレスアレイＹの電極Ｙnの駆動に関して、図３に示したパネル駆動方法は基準電圧Ｖrefに対して異なる値を有する電圧パルスを印加することを含む。即ち、
・常に基準電圧Ｖrefより大なる値、即ち、プライミング電圧ＶPに対して、「高」アドレス電圧ＶAHに対して、かつ維持電圧ＶＳに対しての値と、
・基準電圧Ｖrefに近く、同時になおここで基準電圧Ｖrefより大きいか等しい値、即ち、消去電圧ＶEに対して、かつ「低」アドレス電圧ＶALに対しての値、である。
【００１９】
「高」アドレス電圧ＶAHは、アドレス位相ＰAを介して、維持及びアドレスアレイＹの１つの電極を除く全ての電極Ｙnに同時に印加されるバイアス電圧に相当する。「低」アドレス電圧ＶALは電極Ｙnに選択的に印加される短いアドレスパルスに相当する。アドレスパルスによって、列のアレイＸの電極Ｘｐに印加される電圧パルスＶDとの起こり得る組み合わせにおいて、この電極Ｙnによって供給される活性化されるべきそれらの放電領域においてだけ電荷が選択的に蓄積されることが可能になる。
【００２０】
図４は、図３に示したタイミングダイアグラムＶYによって示された駆動方法を、維持及びアドレスアレイＹの電極Ｙnに用いる供給装置１０を概略的に示す。この装置は、供給されるべきこの電極Ｙnと基準電位Ｖrefとの間で平行に接続されたいくつかのジェネレータを含む。即ち、
・図２を参照して上記に説明したウェーバ型のエネルギー回収維持ジェネレータ２と、
・アドレス位相の間、電位ＶAH＞Ｖrefを印加するのに適したバイアスジェネレータの場合には、基準電位Ｖrefを越える電位を有する少なくとも１つの信号ジェネレータ３と、
・アドレス電位ＶALを印加するよう設計されたアドレスパルスジェネレータの場合には、基準電位Ｖrefに近い電位を有する少なくとも一つの信号ジェネレータ４と、
を含む。
【００２１】
図３のタイミングダイアグラムＶYによって示された駆動方法が維持及びアドレスアレイＹの電極Ｙnの各々に用いられることを可能にするために、図５及び６を参照すると、このアレイの各々の電極Ｙnがライン駆動装置５を介して上記した３つのジェネレータ２、３、４の出力に接続される。各々のライン駆動装置は、従来は、以下を含む。
・直列の２つの駆動スイッチ５１、５２であって、これらのスイッチの共有点が供給されるべき電極Ｙnに接続されており、この直列のスイッチの最も外側の端子が上位切替端子及び下位切替端子を成す。
・直列の２つの駆動ダイオード５３、５４であって、これらのダイオードの共有点も供給されるべき電極Ｙnに接続されており、この直列のダイオードの最も外側の端子が上位電力端子及び下位電力端子を成す。
【００２２】
図６を参照すると、様々な駆動装置５’の全ての上位切替端子は、一緒に接続されて共通の上位切替端子５５２を成す。様々な駆動装置５の全ての下位切替端子は一緒に接続されて共通の下位切替端子５６２を成す。様々な駆動装置５の全ての上位電力端子は、一緒に接続されて共通の上位電力端子５５１を成す。様々な駆動装置５の全ての下位電力端子は、一緒に接続されて共通の下位電力端子５６１を成す。
【００２３】
各々の駆動装置に対して、「上位」駆動装置ダイオードと称する各々の駆動装置ダイオード５３は、直列の他のダイオードとの共有点から共通の上位電力端子５５１に導電するように方向付けられる。「下位」駆動装置ダイオードと称する各々の駆動装置ダイオード５４は、共通の下位端子５５２からこの同じ共有点へ導電するよう方向付けられる。
【００２４】
維持位相の間、全てのまたは実質的に全ての電極は、維持ジェネレータ２に同時に接続され、共通端子で流れる電流が非常に高くなければならない。通常ＭＯＳＦＥＴタイプである駆動装置スイッチ５１、５２はかかる電流に耐えないので、これらのスイッチを介してこれらの維持電流が流れるのを防ぐことが大いに望ましい。概して切替が必要でない維持位相の間、パネル１の電極Ｙnは、それゆえ高電流の流れに耐えるように設計された駆動装置ダイオード５３、５４を介して供給される。
【００２５】
システムが維持位相にあるかどうかに応じて別々に電極に対する供給を管理することを可能にするために、いくつかの解決法が従来用いられてきた。
・図５に示した第１の解決法では、各駆動装置が「上位」入力端子５５及び「下位」入力端子５６である２つの入力端子だけを有する。なんとなれば、共通の上位切替端子５５２及び共通の上位電力端子５５１が一致し、かつ共通の下位切替端子５６２及び共通の下位電力端子５６１が一致するからである。駆動装置５のこの単純化は、上位入力端子５５と下位入力端子５６との間に電力スイッチ６を付加することを含む。このスイッチはパネルの維持位相の間閉じており、ジェネレータ２によって供給される維持パルスのオフ周期に応じ、上位電力ダイオード５３を介してまたは下位電力ダイオード５４を介して、パネル１の電極Ｙnに供給することを可能にする。駆動装置スイッチ５１、５２はそのとき開いている。
・図６に示した第２の解決法では、かかる電力スイッチは不要である。なんとなれば、電極に対する供給は、一方では駆動装置ダイオード５３、５４を介し、他方では駆動装置スイッチ５３、５４を介していて、特徴があって別個だからである。維持位相の間だけ用いられる共通の上位電力端子５５１及び共通の下位電力端子５６１は、いずれも維持ジェネレータ２の同じ出力端子に接続される。さらに、前と同様、上位切替端子５５２が基準電位Ｖrefを越える上電位を有する信号ジェネレータ３の出力に接続され、下位切替端子５６２が基準電位Ｖrefに近い電位を有する信号ジェネレータ４の出力に接続される。
【００２６】
図７は、プラズマパネル１の電極に供給する全装置を概略的に示す。これは以下を含む。即ち、
・図５において先に述べた維持及びアドレスアレイＹの電極Ｙnに供給する装置１０と、
・維持アレイＹ’の電極Ｙ’n用の供給ジェネレータ１１と、
・アドレスアレイＸの電極Ｘｐに供給するジェネレータ１２と、である。ジェネレータ１２は電圧パルスＶDを供給することが可能である（図３を参照せよ）。このジェネレータはそれ自体が公知なのでここでは詳述しない。
【００２７】
図８は、図7に示した電極に供給する装置の代替実施例を示す。ジェネレータ２’の容量エネルギーを回収し、図２に示したジェネレータの手段のタイプと同じ手段が、維持アレイＹ及びＹ’の両方の電極に供給するために用いられるという事実に本質的な差異がある。
【００２８】
概して、維持及びアドレスアレイＹの電極Ｙnが、維持位相以外の位相の間、特にアドレス位相の間、それらの供給装置からの維持ジェネレータのパルスの影響を受けるのを防ぐために、この維持ジェネレータは、もし必要なら、これらの位相の間停止される。
【００２９】
いくつかのプラズマパネル駆動法は、基準電圧Ｖref未満の値を有する電圧パルスを印加することを含む。かかる方法の実施例を説明する図９では、消去位相ＰEの間印加される消去電圧ＶE及びアドレス位相ＰAの間印加される低アドレス電圧ＶALは、基準電圧Ｖref未満である（図の上向きの方向を示された矢印↑を参照せよ）。供給装置１０または１０’を用いてＶALのような電圧を印加する間、上記してそれぞれ図５及び６に示したように、エネルギー回収維持ジェネレータ２の電圧スイッチ２３の端子において固有ダイオード２５を介して短絡がそのときあるだろう。図６に示したジェネレータ１０’の場合では、この短絡も駆動装置５’の下位ダイオード５２を介して通過する。図８のジェネレータ２’’は同じ欠点を有する。
【発明の開示】
【００３０】
本発明の目的は、従来技術において用いられたそれらより簡単で安価な手段を用いてかかる短絡を避けることである。
【００３１】
この目的のために、本発明の対象は、放電セルの二次元のマトリックスを備えたプラズマディスプレイパネル（１）の維持電極のアレイ（Ｙ）に供給するプラズマディスプレイパネル用電極駆動装置であって、前記プラズマディスプレイパネル用電極駆動装置が、
・維持ジェネレータ（２、２’）であって、基準端子と称する端子と前記電極に接続し得る供給端子と称する少なくとも１つの端子との間で正の維持パルス（Ｖs）を生成し、前記パルスの上昇部分または下降部分において共振インダクタ（２０、２０’）を用いて容量エネルギーを回収または再注入するモジュールを備えており、負電圧がこの供給端子と前記基準端子との間に印加されると、前記ジェネレータの前記基準端子（Ｖref）と供給端子（９２）との間に電流が流れることを可能にするように構成されている維持ジェネレータ（２、２’）と、
・前記電極に接続され得る供給端子と称する他の端子（９４、９７）と前記基準端子との間に負電圧（ＶAL、ＶE）を生成するように設計されている「負電圧」ジェネレータ（４、７）と称する少なくとも１つのジェネレータと、
・駆動装置（５、５’）であって、前記アレイ（Ｙ）の各電極（Ｙn）に対して、前記維持ジェネレータの前記供給端子及び／または少なくとも１つの前記負電圧ジェネレータ（４、７）の前記供給端子をコマンドにより前記電極（Ｙn）へ接続するように設計されており、駆動装置（５、５’）自体が、
・直列の２つの駆動装置ダイオード（５３、５４）であって、「下位電力」端子と呼ばれて全ての前記駆動装置に共通で直列の１つの端子から「上位電力」端子と呼ばれて全ての前記駆動装置にやはり共通で直列のもう１つの端子へ、同じ方向で導電するように方向付けられており、これらのダイオードの共有点が供給されるべき電極（Ｙn）へ接続されることを目的とする駆動装置ダイオード（５３、５４）と、
・２つの直列の駆動装置スイッチ（５１、５２）であって、これらのスイッチの共有点も供給されるべき電極（Ｙn）に接続されることを目的とし、この直列のスイッチ（５１、５２）の最も外側の端子が全ての前記駆動装置に共通であり、「下位切替」端子と称する１つが前記負電圧ジェネレータ（４、７）の前記供給端子（９４、９７）に直接接続され、前記直列のもう１つの共通の端子が「上位切替」端子と称する前記駆動装置スイッチ（５１、５２）と、
を有する駆動装置（５、５’）と、
を含み、
・前記プラズマディスプレイパネル用電極駆動装置が、前記駆動装置（５、５’）の前記共通の上位電力端子（５５、５５１）と前記駆動装置（５、５’）の共通の下位電力端子（５６、５６１）との間の電力スイッチ（６）を含み、
・前記維持ジェネレータ（２、２’）の前記供給端子（９２）が直接にかつ中間スイッチを用いることなく前記駆動装置（５、５’）の前記共通の上位電力端子（５５、５５１）へ接続されることを特徴とするプラズマディスプレイパネル用電極駆動装置である。
【００３２】
維持ジェネレータはさらに、パルスの生成を制御し、パネルの電極の間の容量エネルギーを回収しまたは再注入することを可能にするスイッチを含む。
【００３３】
各々の駆動装置に対して、かつ、慣例によって、上位電力端子に対応するその端子のうちの１つを有するダイオードは「上位ダイオード」と呼ばれ、下位電力端子に対応するその端子のうちの１つを有するもう１つのダイオードは「下位ダイオード」と称する。
【００３４】
この負電圧は、駆動装置の共通の下位切替端子が負電圧ジェネレータの供給端子に直接接続されているので、このジェネレータが負電圧を電極へ供給するとき、駆動装置の下位スイッチのうちの少なくとも1つが閉じていることを意味し、これらの駆動装置の下位ダイオードを介し供給端子と維持ジェネレータの基準端子との間の適正なところで、この負電圧が転送される。維持ジェネレータは、そのスイッチの状態が開であれ閉であれ、この場合には、その基準端子とその供給端子との間で電流を流れさせるために構成されているので、この場合には開いていなければならない本発明による電力スイッチを欠くときは短絡を生じるだろう。
【００３５】
装置の基準端子は、「基準」電位と称する同じ電位に、明らかに全て一緒に接続されている。この電位は、通常アース電位に一致する。
【００３６】
負電圧ジェネレータは、通常負電圧パルス、即ち、基準電位に関して負の部分を有する電圧傾斜及び／または電圧ホールドを生成するジェネレータである。対照的に、ＤＣ電圧ジェネレータを用いると、駆動装置の「下位」スイッチを用いる電極において、パルスを生成することも可能である。
【００３７】
共振エネルギー回収インダクタを備えているプラズマパネル維持ジェネレータの大部分は、それらジェネレータの供給端子と基準端子との間に印加された電圧が負のときに、この基準端子と供給端子との間で電流を流れさせるように構成されている。概して、これはこの基準端子とこの供給端子との間で導電するように接続されたダイオードである。
【００３８】
本発明特有の駆動装置の共通端子への維持ジェネレータの接続のおかげで、かつ電力スイッチが最適に制御されるということが設けられて、負の複数電圧パルスまたは負電圧パルスが印加されるときに、負電圧ジェネレータの供給端子とジェネレータの共通の基準端子との間の短絡を、維持ジェネレータの容量エネルギーを回収／再注入するシステムのダイオードを介して、容易に避けることができるだろう。
【００３９】
上記の短絡を避けるために、従来技術では、
・維持ジェネレータの供給端子が、負電圧を印加する間、維持ジェネレータを絶縁することを目的とする特定の断路器を介して、駆動装置の共通の下位端子に接続されるか、
・または、維持ジェネレータの供給端子が、駆動装置の共通の下位端子に直接接続されたが、維持ジェネレータは基準端子とその供給端子との間の特定の断路器を備え、負電圧の印加の間維持ジェネレータを絶縁することを目的とした。
【００４０】
本発明の目的をはたす解決法は、従来技術の解決法より簡単でより安価である。本発明によるジェネレータによって供給される電極に負電圧が印加されるときのプラズマパネル駆動位相の間、電力スイッチが開いていると仮定して、電力スイッチは負電圧又は負のパルスを電極に印加する間、維持ジェネレータを介して短絡を防ぐ働きをする。このスイッチは、駆動の間、他の機能、とりわけ従来技術についての上記で説明した機能を有しており、本発明の実施にはこれによって供給装置に構成物品が付加されていないが、この装置の構成物品の異なる接続及び異なる使用法を含んでいることが有利である。特定の断路器を避けることによって、このスイッチに関する熱損失も避けられる。
【００４１】
維持ジェネレータには通常ダイオードが含まれる。ダイオードは、基準端子とこの供給端子との間のこのダイオードと直列の、これらの端子の間電流の流れが遮断されるのを可能にするスイッチを用いることなく、維持ジェネレータの基準端子とこの供給端子との間の導電を行うように接続される。
【００４２】
従って、負電圧がこの供給端子と基準端子との間で印加されると、基準端子とこの供給端子との間で電流が流れることを可能にするよう維持ジェネレータを構成するのはこのダイオード及びこのコネクションである。
【００４３】
従来技術のある種の維持ジェネレータとは異なり、本発明による装置の維持ジェネレータは、このダイオードとともに、ジェネレータの基準端子とこの供給端子と間の直列の接続を形成する断路器を含まない。
【００４４】
本発明に特有の供給がない場合は短絡の原因となるであろうこのダイオードは、維持ジェネレータの、特にＭＯＳＦＥＴ型であるスイッチの固有ダイオードであってもよい。
【００４５】
本発明による供給装置は、「正電圧」パルスジェネレータと称する少なくとも１つのパルスジェネレータをさらに含むことが望ましい。「正電圧」パルスジェネレータは、駆動装置の直列のスイッチの共通の上位切替端子に接続される供給端子と称する端子と基準端子と間で正電圧を生成するように設計されている。
【００４６】
正電圧ジェネレータは通常、正電圧パルス、即ち、基準電位に関して正である電圧傾斜と電圧ホールドとを生成するジェネレータである。しかしながら、ＤＣ電圧ジェネレータを用いると、駆動装置の「上位」スイッチを用いることによって電極でパルスを生成することも可能である。
【００４７】
本発明の装置によって供給されるアレイの電極も該パネルのセルのアドレス指定を行うために用いられることが望ましい。
【００４８】
アドレス位相は、従来かつ通常は、次の非選択維持パルスの間に活性化されるべきパネルの放電セルにおいてだけ電荷が蓄積されることを可能にする選択パネル駆動位相と一致する。
【００４９】
このようにして、実際には、
・負電圧ジェネレータとして、例えば、消去電圧ジェネレータ及びアドレス電圧ジェネレータがあり、
・正電圧ジェネレータとして、例えば、プライミング電圧ジェネレータ及びアドレス位相の間バイアスをかけるバイアス電圧ジェネレータがある。
【００５０】
プライミング位相及び消去位相は、通常アドレス位相の直前に引き起こされる。
【００５１】
電極駆動素子または「駆動装置」の標準の構成によれば、
・駆動装置の共通の上位電力端子は、共通の上位切替端子に接続されかつ一致し、かつ、
・駆動装置の共通の下位電力端子は、共通の下位切替端子に接続されかつ一致する、ことが望ましい。
【００５２】
本発明の目的はまた、プラズマパネルから成る画像ディスプレイ装置である。プラズマパネルは間に空間を残した２つのプレートから成り、該空間は放電ガスを含んでいて、二次元アレイを形成するセルに仕切られている。二次元アレイは電極の少なくとも第１及び第２アレイを含み、第１アレイの各々の電極は、パネルの異なるセルにおいて第２のアレイの各々の電極と交差している。そして、それが本発明による電極供給装置を含み、この供給装置のさまざまな駆動装置の直列のダイオードと直列のスイッチとの共有点が電極の該アレイのうちの１つの異なる電極に各々接続されるということにおいてに特徴づけられる。言い換えると、本発明による装置の各々の出力供給端子は、供給されるべきパネルのアレイの１つのうちの１つの電極に接続される。
【００５３】
ディスプレイ装置は電極の第３のアレイを含み、電極の第３のアレイは該供給装置によって供給される電極の各々を用いて、該セルのプラズマ放電を維持する平行電極の複数対を形成するよう設計されていることが望ましい。従って、これは共面型のプラズマパネルである。
【００５４】
表示装置は、該パネルのセルにおけるプラズマ放電を制御する手段も含み、該手段は、該供給装置を用いて、予め選択されたセルに電荷を蓄積することによって選択アドレス位相を、そして、前記手段が予め選択されたセルだけに放電を生じるよう設計された非選択維持位相を生成するように設計されていることが望ましい。供給装置によって供給される電極はアドレス電極及び維持電極であるかまたは、これらの電極が維持電極だけであって従って、アドレス指定のために用いられないかである。
【００５５】
駆動手段は、
・特に、本発明による供給装置の少なくとも１つの負電圧ジェネレータを特に用いて、この装置によって供給される電極に印加される電圧が基準端子の基準電圧未満の値に至る間の位相を生成し、かつ
・当該位相の間、電力スイッチを開く、
ように設計されることが望ましい。
【００５６】
本発明の対象はまた、一連のイメージ走査または副走査を用いて画像を表示するために本発明によるディスプレイ装置を駆動する方法でもある。各副走査は、基準電位と正の維持電位との間で周期的に変化する電位が供給装置によって供給される電極のすべてに印加される間の維持位相と、電位が基準電位未満の負の電位が電極に印加される間の少なくとも１つの先行位相とを含む。駆動方法はこの負電位の印加の間電力スイッチが開いているということを特徴とする。
【００５７】
駆動装置の少なくとも一つの下位スイッチは、この負電位を印加する間、閉じられていることが望ましい。
【００５８】
この駆動装置に対応する少なくとも一つの電極に負電位を印加することが可能であって、維持ジェネレータを介して上述の短絡を避けるために開いていることが電力スイッチに役立つのは、この駆動装置のこれらの下位スイッチのうちの少なくとも１つが閉じられているときである。
【００５９】
要約すると、本発明による電極供給装置は、供給されるべき各々の電極に対して、直列の２つのスイッチ及び直列の２つのダイオードを有する駆動装置を含み、それらの共有点はこの電極に接続されている。直列のダイオードは、同一方向、即ち、「下位」端子と呼ばれている端子から直列の「上位」端子と称する端子へ全て導電している。直列のダイオードの上位端子は、維持ジェネレータの出力に直接接続され、その下位端子は間接的に、即ち、電力スイッチを介してこの同じジェネレータに接続される。そして、直列のスイッチの端子の１つが負電圧ジェネレータの出力に接続される。
【００６０】
本発明は、制限されない実施例を用いて、そして、添付の図に関して与えられる以下の説明を読むことからより明らかに理解されるだろう。
【発明を実施するための形態】
【００６１】
タイミングダイアグラムを示す図は、拡大縮小して比率が尊重された場合にはそれほど明らかに見えないであろういくらかの詳細をより明らかに示すようには描かれていない。
【００６２】
説明を平易にして、従来技術と比較して本発明によって提供される差及び利点を引き出すために、同じ参照番号が同じ機能を果たす要素に対して用いられる。
【００６３】
プラズマディスプレイパネルの少なくとも１つの電極のアレイに供給する本発明による装置を図１０を参照して説明する。
【００６４】
全体的に見て、画像ディスプレイ装置は以下を含む。
・従来のプラズマパネル１と、
・パネルの電極の各々のアレイに供給するジェネレータまたは装置と、
・パネルのセルにおいてプラズマ放電を駆動する従来手段と、であって、手段は電極に供給するジェネレータまたは装置を用いて、
・プライミング位相と、
・プライミングの間蓄積される電荷の残余を除去する消去位相と、
・パネルの前もって選択されたセルへ電荷を蓄積することによる選択アドレス位相と、
・前もって選択されたセルにおいてだけ放電を生じるよう設計された非選択維持位相と、
を生成するよう設計されている。
【００６５】
プラズマディスプレイパネル１（図示せず）は、記憶効果を備えた従来の共面ＡＣ型パネルである。プラズマディスプレイパネル１は従来、その間に放電ガスを含む空間を残す、前面基板及び背面基板の２つのプレートから成っており、二次元アレイを形成するセルに仕切られる。放電空間の仕切りは、プレートの間のスペーサとしても役立つ隔壁のアレイによって成される。セルの壁は、少なくとも部分的に、画像を表示する異なる原色を発射する蛍光体で覆われている。隔壁のアレイは二次元または一次元である。一次元の場合には、異なる原色のセルだけが隔壁によって区分される。
【００６６】
プラズマディスプレイパネルは、電極の第１のアレイＸ、第２のアレイＹ、及び第３のアレイＹ’から成る。第１のアレイＸの各電極はパネルの異なるセルにおいて、第２のアレイＹの各電極と交差する。第１のアレイの「データ」電極または「列」電極と称する電極Ｘｐは、背面基板上にある。電極の第３のアレイＹ’は、第２のアレイＹの電極の各々とともに、それらの方向が通常平行である電極対を形成するよう設計される。これらの第２及び第３のアレイは、この場合同一平面上にあって、前面基板上にある。これらのアレイは、パネルのセルの各ラインが一対の電極Ｙn、Ｙ’nの間に配置されるように設計されている。アレイＹ’の全ての電極は一緒に同じ電位に接続され、アレイＹ’は「共通」と称される。共面アレイは、記憶効果を設けるために誘電体被覆で覆われ、保護及び二次電子を発射するためにマグネシアに基づく層で覆われる。
【００６７】
既に説明し、図７に示したディスプレイ装置においてのように、データ電極の第１のアレイＸがデータジェネレータ１２によって供給され、共通電極の第３のアレイＹ’が従来の共通維持パルスジェネレータ１１によって供給される。これらのジェネレータは、それ自体が公知であって、詳述しない。
【００６８】
図９及び１０を参照すると、電極の第２のアレイＹに供給する装置１２は、本発明の第１の実施例によれば以下を含む。即ち、
・基準端子（図示せず）と出力供給端子９８との間で、図９に示したタイミングダイアグラムの位相ＰPに対応する、正電圧ホールドＶPまで、傾斜を上げることが可能な従来のプライミング電圧傾斜ジェネレータ８と、
・基準端子（図示せず）と出力供給端子９７との間で、図９に示したタイミングダイアグラムの位相ＰEに対応する、負の電圧ホールドＶEに至るまで傾斜を下げることが可能な従来の消去電圧傾斜ジェネレータ７と、
・基準端子（図示せず）と出力供給端子９３との間で、図９に示したタイミングダイアグラムの位相ＰAに対応する正電圧ＶAHを運ぶことが可能な、既に説明した従来のアドレスバイアス電圧ジェネレータ３と、
・基準端子（図示せず）と出力供給端子９４との間で、図９に示したタイミングダイアグラムの位相ＰAの間、アレイＹの電極Ｙnに対するアドレスシークエンスに対応する負電圧ＶALを運ぶことが可能な、既に説明した従来のアドレス電圧ジェネレータ４と、
・共振インダクタ２０を用いて「ウェーバ」型の容量エネルギー回収モジュールを含み、基準電位Ｖrefの基準端子と出力供給端子９２との間で図９に示したタイミングダイアグラムの位相Ｐｓに一致する電圧Ｖsの一連のパルスを供給することが可能である、図２を参照して既に説明した従来のパルスジェネレータ２と、
・アレイＹの各電極Ｙnに対する、図５を参照して上記した従来の駆動装置５であって、直列のいわゆる下位部分からいわゆる上位部分へいずれも導電する直列の２つのダイオード５３、５４と、共有点が一緒に接続されてこの電極Ｙnに接続され、かつ一方は上位にあり他方は下位にあるその最も外側の端子が一緒に接続されてそれぞれ上位端子及び下位端子を形成する直列の２つのスイッチ５１、５２と、を含む従来の駆動装置５と、
を含む。
【００６９】
全ての駆動装置５の上位入力端子は一緒に接続されて共通の上位端子５５を形成する。全ての駆動装置５の下位入力端子は一緒に接続されて共通の下位端子５６を形成する。
【００７０】
プライミング電圧傾斜ジェネレータ８及びアドレスバイアス電圧ジェネレータ３は、正電圧ジェネレータである。
【００７１】
消去電圧傾斜ジェネレータ７及びアドレス電圧ジェネレータ４は、負電圧ジェネレータである。
【００７２】
従来の維持ジェネレータはダイオード２５を含み、基準端子と出力供給端子９２との間で導電するよう接続される。この基準端子と供給端子９２との間でこのダイオードと直列のスイッチはない。
【００７３】
正電圧ジェネレータの全ての出力供給端子９３、９８は一緒に駆動装置の上位入力端子５５に接続される。負電圧ジェネレータの全ての出力供給端子９４、９７は、一緒に駆動装置の下位入力端子５６に接続される。
【００７４】
全ての基準電圧が接続されて、同じ電位Ｖrefにある。
【００７５】
本発明によれば、
・電極の第２のアレイＹに対する供給装置は、駆動装置の共通の上位入力端子５５と駆動装置の共通の下位入力端子５６との間に電力スイッチ６を含む。
・維持ジェネレータ２の出力供給端子９２は直接にかつ中間のスイッチを用いることなく、駆動装置の共通の上位端子５５に接続される。
【００７６】
このように接続された、本発明による装置で供給される電極Ｙnが、第１のアレイＸのデータ列電極に関するアドレス電極として、かつ第３のアレイＹ’の「共通」ライン電極に関する共面維持電極としての両方に用いられてもよい。
【００７７】
維持ジェネレータの出力９２及び電力スイッチ６はこのように本発明に基づいて接続されているので、これらの負電圧ジェネレータが基準電圧Ｖref未満の負電圧をその駆動装置５を介してアレイＹの少なくとも１つの電極に印加している期間、電力スイッチ６を用いて維持ジェネレータ２を負電圧ジェネレータ４、７から絶縁することが有利である。
【００７８】
さらに、上記した従来の方法では、このスイッチは、維持位相Ｐｓの間閉じられたままである。対照的に、特に他の位相ＰP、ＰE，ＰAの少なくとも一部の間である、制御電圧、即ち維持電圧を除く電圧がライン駆動装置のうちの少なくとも１つに印加されるとき、このスイッチは開いたままである。
【００７９】
このように、従来技術の電気的供給装置に何らの構成部品を加えることなく、むしろそれらの構成部品の構造及び接続を適合させることによって、本発明による装置によって供給される電極Ｙnに印加される電圧が基準電圧Ｖref未満の値に至るときの位相の間、維持ジェネレータのダイオード２５を介して短絡を防ぐことが可能になる。
【００８０】
パネル駆動手段は、少なくともこれらの負電圧印加位相の間、電力スイッチ６を開くようにも設計されている。
【００８１】
このようにして得られた画像ディスプレイ装置の作動の間、ビデオシークエンスを形成する一連の画像を表示するために、以下が行われる。
・各画像が画素の二次元マトリックスに分割され、各画素が原色のうちの１つにそれぞれ対応する副画素に分割され、各副画素がパネルの１つのセルと対応する。
・各サブピクセルの強度は、与えられたグレイ・レベルによって特徴づけられる予め設けられた一組の副走査を通じて分配される。
・一連の画像に対応する一連の走査、及び各画像に対する一連の副走査が生成される。各副走査に対して、図９に示したタイミングダイアグラムに対応する電圧が、本発明による駆動手段及び供給装置を用いる維持及びアドレスアレイＹの電極Ｙnに印加される。
・プライミング位相ＰPと称する第１の位相の間、正電圧が全ての電極に印加される。
・次に、消去位相ＰEと称する第２の位相の間、電圧が全ての電極に印加されて、この電圧は、この位相の少なくとも一部の間、基準電位Ｖref未満の負の値ＶEに至る。
・次に、アドレス位相ＰAと称する第３の位相の間、一方では正電圧ＶAHが同時に全ての電極に印加され、他方では負電圧ＶALがアレイＹの各電極に連続して印加される。
・次に、維持位相と称する４番目で最後の位相の間、位相がコールしたこと維持位相、周期的に基準電位Ｖrefと正の維持電圧Ｖsとの間で周期的に変化する電位が、全ての電極に印加される。変化数は副走査に特有のグレイレベルに依存する。
【００８２】
本発明によれば、負電圧がアレイＹの少なくとも１つの電極に印加される期間、電力スイッチ６が開いていて、負電圧ジェネレータ４、７から維持ジェネレータ２を絶縁する。
【００８３】
このようにして、簡単な方法で維持ジェネレータのダイオード２５を介して短絡を防ぐことが可能になる。
【００８４】
他の公知の走査方法または副走査方法によれば、最初のアドレスステップが選択されず、維持ステップにおいて、パネルの全ての放電領域が活性化される。選択消去ステップと称するステップは、従って、次に用いられ、それによって活性化されるべき画素に対応する放電領域だけを点灯したままにすることが可能になる。
【００８５】
本発明の２つの制限されない代替実施例を説明する。
【００８６】
本発明は、上記した駆動タイプ以外の駆動タイプにあてはまる。図１１を参照すると、本発明の第２の実施例による電極供給装置は、この場合には図６を参照してすでに説明した駆動装置５’に対応する駆動装置を除き、第１の実施例の構成部品と同一の構成部品を含む。電極Ｙn用の各駆動装置は以下を含む。即ち、
・直列に志向する2つの直列の駆動装置ダイオード５３、５４であって、「下位電力」端子と称する全ての駆動装置に共通の直列の１つの端子５６１から、「上位電力」端子と称する全ての駆動装置に同様に共通の直列のもう１つの端子５５２へ、同じ方向で導電するように方向付けられており、これらのダイオードの共有点は供給されるべき電極Ｙnに接続されている駆動装置ダイオード５３、５４と、
・２つの直列の駆動装置スイッチ５１、５２であって、これらのスイッチの共有点が供給されるべき電極Ｙnへ同様に接続されており、この直列のスイッチ５１、５２の最も外側の端子が全ての駆動装置に共通であって、「下位切替」端子５６１と称する１つの端子が負電圧ジェネレータ４の供給端子９４、９７に直接に接続されていて（ジェネレータ７及び端子９７は図示せず）、「上位切替」端子と称するもう１つの端子５６２が正電圧ジェネレータ３、８の供給端子９３、９８に直接接続されている（ジェネレータ８及び端子９８は図示せず）、駆動装置スイッチ５１、５２と、
を含む。
【００８７】
上記した駆動装置５と異なって、直列のダイオード及びスイッチの最も外部の端子は、上位または下位においても一緒に接続されていない。本発明も、最も外部の端子が下位か上位だけの片側で接続される中間のケースを対象とする。
【００８８】
前と同様に、全ての基準端子が接続されて、同じ電位Ｖrefにある。
【００８９】
本発明によって、
・電極の第２のアレイＹに印加する装置は、駆動装置５’の共通の上位電力端子５５１と駆動装置５’の共通の下位電力端子５６１との間の電力スイッチ６を含む。
・維持ジェネレータ２の出力電力端子９２は直接に、かつ駆動装置５’の共通の上位電力端子５５１への中間のスイッチを用いることなく接続される。
【００９０】
維持ジェネレータの出力９２及び電力スイッチ６はこのように本発明に従って接続されているので、前と同様に、これらの負電圧ジェネレータによって、その駆動装置５’（それはそのとき閉じていなければならない）の下位スイッチ５２を介してアレイＹの少なくとも１つの電極に基準電圧Ｖref未満の負電圧を印加する期間、電力スイッチ６を用いて負電圧ジェネレータ４、７から維持ジェネレータ２を絶縁することが可能になる。このようにして、もちろん電力スイッチ６がこれらの期間開いたままであるという条件で、これらの負電圧印加期間、維持ジェネレータのダイオード２５を介して、かつこの駆動装置の下位ダイオード５４を介して短絡を防ぐことが可能になる。
【００９１】
本発明は上記したタイプ以外の維持ジェネレータの他のタイプに用いられる。図１２を参照すると、本発明の第３の実施例による電極供給装置１２’’、図１を参照してすでに説明した維持ジェネレータ２’を除き、第１の実施例においてのように一緒に接続された同一の構成部品を含む。ここで、ヒギンズタイプの場合には、共振インダクタ２０’を用いる容量エネルギー回収モジュールを含む。このジェネレータは、基準電位Ｖrefにおける基準端子と出力供給端子９２との間で、図９に示したタイミングダイアグラムの位相ＰＳに対応する電圧ＶＳの一連のパルスを供給することもできる。
【００９２】
再度、本発明による電力スイッチ６の結果、かつ、本発明による供給装置の構成部品の接続の結果、本発明による装置によって供給される電極Ｙnに印加された電圧が基準電値Ｖref未満の値に至るときの位相の間、維持ジェネレータ２’のダイオード２７’を介して短絡を防ぐことが可能である。
【００９３】
図１２では、図１１においてのように、消去ジェネレータ７及びプライミングジェネレータ８は便宜上示されていない。
【００９４】
維持ジェネレータが本発明に従って電極供給装置の駆動装置に接続される方法及び、これらのジェネレータのうちの1つがそれらの駆動装置を介してこれらの電極の１つ以上に負電圧を印加している期間、負電圧ジェネレータから維持ジェネレータを絶縁するための電力スイッチの本発明による使用方法は、上記に説明した維持ジェネレータ及び駆動装置以外の維持ジェネレータ及び駆動装置に用いることができる。
【図面の簡単な説明】
【００９５】
【図１】エネルギー回収用の共振インダクタを備えた１つの従来の維持ジェネレータを図示する。
【図２】エネルギー回収用の共振インダクタを備えた別の従来の維持ジェネレータを図示する。
【図３】印加電圧が負である位相を含まない従来の駆動スキームによるプラズマパネルの電極に印加された電圧に対するタイミングダイアグラムを図示する。
【図４】従来技術による装置を用いて、アドレス位相及び維持位相に用いられる電極に対する供給を概略的に図示する。
【図５】駆動装置の１つのタイプを用いる従来技術による装置を用いて、アドレス位相及び維持位相に対して用いられる電極のアレイに対する供給を概略的に図示する。
【図６】駆動装置の図５と異なるタイプを用いる従来技術による装置を用いて、アドレス位相及び維持位相に対して用いられる電極のアレイに対する供給を概略的に図示する。
【図７】維持位相に用いられる電極のアレイを介してエネルギー回復用の維持ジェネレータとともに、その電極に対する供給に加えてプラズマパネルを非常に概略的に、かつ、従来技術に基づいて示す。
【図８】維持位相に対して用いられる電極の２つのアレイに対する単一のエネルギー回収維持ジェネレータとともに、その電極に対する供給に加えてプラズマパネルを非常に概略的に、かつ、従来技術に基づいて示す。
【図９】印加電圧が負である位相を含む駆動スキームによるプラズマパネルの維持電極及びアドレス電極に印加される電圧に対するタイミングダイアグラムを図示する。
【図１０】用いられる駆動装置のタイプによって異なるが図２の維持ジェネレータを備えた本発明の１つの実施例による装置を用いて、アドレス位相及び維持位相に用いられる電極のアレイに対する供給を概略的に示す。
【図１１】用いられる駆動装置のタイプによって異なるが図２の維持ジェネレータを備えた本発明の別の実施例による装置を用いて、アドレス位相及び維持位相に用いられる電極のアレイに対する供給を概略的に示す。
【図１２】図１の維持ジェネレータを備えている図１０の装置と主として異なる本発明による別の電極供給装置を図示する。
【図１】
0004465266.tif 000002
【図２】
0004465266.tif 000003
【図３】
0004465266.tif 000004
【図４】
0004465266.tif 000005
【図５】
0004465266.tif 000006
【図６】
0004465266.tif 000007
【図７】
0004465266.tif 000008
【図８】
0004465266.tif 000009
【図９】
0004465266.tif 000010
【図１０】
0004465266.tif 000011
【図１１】
0004465266.tif 000012
0004465266.tif 000013